(57)【要約】  電力制御装置は、複数の電源装置のそれぞれが出力する直流電力をまとめて交流に変換可能な変換部と、所定の通信プロトコルに従って外部の機器制御装置との通信を行う通信部と、を備える。通信部は、複数の電源装置のそれぞれの機器クラスを機器制御装置に通知することに加えて、電力制御装置の機器クラスを機器制御装置に通知する。
2015093494.tif 000002
【特許請求の範囲】
【請求項１】
需要家施設に設けられ、複数の電源装置からの電力供給を制御する電力制御装置であって、
前記複数の電源装置のそれぞれが出力する直流電力をまとめて交流に変換可能な変換部と、
所定の通信プロトコルに従って外部の機器制御装置との通信を行う通信部と、を備え、
前記通信部は、前記複数の電源装置のそれぞれの機器クラスを前記機器制御装置に通知することに加えて、前記電力制御装置の機器クラスを前記機器制御装置に通知することを特徴とする電力制御装置。
【請求項２】
前記複数の電源装置には、前記所定の通信プロトコルにおいて交流電力を出力するよう規定された所定機器クラスに属する所定電源装置が含まれ、
前記通信部は、前記所定機器クラスに対応するプロパティとして、前記所定電源装置の出力パラメータを前記機器制御装置に通知可能であり、
前記通信部は、前記出力パラメータを直流に読み替えるべきであることを示す情報を前記機器制御装置に通知することを特徴とする請求項１に記載の電力制御装置。
【請求項３】
前記通信部は、前記電力制御装置の機器クラスに対応するプロパティとして、前記変換部の定格出力値を前記機器制御装置に通知することを特徴とする請求項１又は２に記載の電力制御装置。
【請求項４】
前記変換部の定格出力値は、前記複数の電源装置のそれぞれの定格出力値の合計よりも小さいことを特徴とする請求項３に記載の電力制御装置。
【請求項５】
前記通信部は、前記定格出力値の通知に対して前記機器制御装置から送信される設定要求を受信し、
前記設定要求は、前記複数の電源装置のうち少なくとも１つについての出力値を含むことを特徴とする請求項３又は４に記載の電力制御装置。
【請求項６】
前記通信部は、前記電力制御装置の機器クラスに対応するプロパティとして、前記変換部の瞬時入出力値を前記機器制御装置に通知し、
前記瞬時入出力値は、前記変換部における変換後の電力の計測値であることを特徴とする請求項１又は２に記載の電力制御装置。
【請求項７】
前記複数の電源装置には、太陽光発電装置が含まれ、
前記通信部は、前記電力制御装置の機器クラスに対応するプロパティ又は前記太陽光発電装置の機器クラスに対応するプロパティとして、前記太陽光発電装置の余剰電力を前記機器制御装置に通知することを特徴とする請求項１乃至６の何れか一項に記載の電力制御装置。
【請求項８】
前記複数の電源装置には、蓄電池装置が含まれ、
前記余剰電力は、前記太陽光発電装置が出力可能な電力のうち、電力系統への逆潮流を行わない場合における、負荷により消費されず、かつ前記蓄電池装置に充電されない電力であることを特徴とする請求項７に記載の電力制御装置。
【請求項９】
前記複数の電源装置には、蓄電池装置が含まれ、
前記通信部は、前記電力制御装置の機器クラスに対応するプロパティ又は前記蓄電池装置の機器クラスに対応するプロパティとして、前記蓄電池装置の放電モードを前記機器制御装置に通知し、
前記放電モードは、負荷の消費電力の増減に追従するように放電を行う負荷追従放電モードを含むことを特徴とする請求項１乃至６の何れか一項に記載の電力制御装置。
【請求項１０】
前記複数の電源装置には、蓄電池装置及び太陽光発電装置が含まれ、
前記通信部は、前記電力制御装置の機器クラスに対応するプロパティ又は前記蓄電池装置の機器クラスに対応するプロパティとして、前記蓄電池装置の充電モードを前記機器制御装置に通知し、
前記充電モードは、前記太陽光発電装置の余剰電力のみを充電する余剰充電モードを含むことを特徴とする請求項１乃至６の何れか一項に記載の電力制御装置。
【請求項１１】
複数の電源装置のそれぞれが出力する直流電力をまとめて交流に変換可能な電力制御装置の制御を行う機器制御装置であって、
所定の通信プロトコルに従って前記電力制御装置との通信を行う通信部と、
前記通信部を介して前記制御を行う制御部と、を備え、
前記通信部は、前記複数の電源装置のそれぞれの機器クラスを前記電力制御装置から取得することに加えて、前記電力制御装置の機器クラスを前記電力制御装置から取得することを特徴とする機器制御装置。
【請求項１２】
前記複数の電源装置には、前記所定の通信プロトコルにおいて交流電力を出力するよう規定された所定機器クラスに属する所定電源装置が含まれ、
前記通信部は、前記所定機器クラスに対応するプロパティとして、前記所定電源装置の出力パラメータを前記電力制御装置から取得可能であり、
前記出力パラメータを直流に読み替えるべきであることを示す情報を前記電力制御装置から前記通信部が取得したことに応じて、前記制御部は、前記通信部が取得する前記出力パラメータを直流に読み替えることを特徴とする請求項１１に記載の機器制御装置。
【請求項１３】
前記複数の電源装置には、前記所定の通信プロトコルにおいて交流電力を出力するよう規定された所定機器クラスに属する所定電源装置が含まれ、
前記通信部は、前記所定機器クラスに対応するプロパティとして、前記所定電源装置の出力パラメータを前記電力制御装置から取得可能であり、
前記電力制御装置の機器クラスを前記通信部が取得したことに応じて、前記制御部は、前記通信部が取得する前記出力パラメータを直流に読み替えることを特徴とする請求項１１に記載の機器制御装置。
【請求項１４】
前記通信部は、前記電力制御装置の機器クラスに対応するプロパティとして、前記電力制御装置に設けられ、前記複数の電源装置からの直流電力をまとめて交流に変換する変換部の定格出力値を前記電力制御装置から取得し、
前記複数の電源装置には、出力値が設定される所定電源装置が含まれ、
前記制御部は、前記変換部の定格出力値を超えないように前記所定電源装置の出力値を決定し、
前記通信部は、前記決定された出力値を前記所定電源装置に設定する設定要求を前記電力制御装置に送信することを特徴とする請求項１１乃至１３の何れか一項に記載の機器制御装置。
【請求項１５】
前記通信部は、前記電力制御装置の機器クラスに対応するプロパティとして、前記電力制御装置に設けられ、前記複数の電源装置からの直流電力をまとめて交流に変換する変換部の瞬時入出力値を前記電力制御装置から取得し、
前記瞬時入出力値は、前記変換部における変換後の電力の計測値であることを特徴とする請求項１１乃至１４の何れか一項に記載の機器制御装置。
【請求項１６】
前記複数の電源装置には、太陽光発電装置が含まれ、
前記通信部は、前記電力制御装置の機器クラスに対応するプロパティ又は前記太陽光発電装置の機器クラスに対応するプロパティとして、前記太陽光発電装置の余剰電力を前記電力制御装置から取得し、
前記制御部は、前記余剰電力を消費するように負荷を制御することを特徴とする請求項１１乃至１５の何れか一項に記載の機器制御装置。
【請求項１７】
前記複数の電源装置には、蓄電池装置が含まれ、
前記余剰電力は、前記太陽光発電装置の出力電力のうち、電力系統への逆潮流を行わない場合における、前記負荷により消費されず、かつ前記蓄電池装置に充電されない電力であることを特徴とする請求項１６に記載の機器制御装置。
【請求項１８】
前記複数の電源装置には、蓄電池装置が含まれ、
前記通信部は、前記電力制御装置の機器クラスに対応するプロパティ又は前記蓄電池装置の機器クラスに対応するプロパティとして、前記蓄電池装置の放電モードを前記電力制御装置から取得し、
前記放電モードは、負荷の消費電力の増減に追従するように放電を行う負荷追従放電モードを含むことを特徴とする請求項１１乃至１５の何れか一項に記載の機器制御装置。
【請求項１９】
前記複数の電源装置には、蓄電池装置及び太陽光発電装置が含まれ、
前記通信部は、前記電力制御装置の機器クラスに対応するプロパティ又は前記蓄電池装置の機器クラスに対応するプロパティとして、前記蓄電池装置の充電モードを前記電力制御装置から取得し、
前記充電モードは、前記太陽光発電装置の余剰電力のみを充電する余剰充電モードを含むことを特徴とする請求項１１乃至１５の何れか一項に記載の機器制御装置。
【請求項２０】
複数の電源装置と、前記複数の電源装置のそれぞれが出力する直流電力をまとめて交流に変換可能な電力制御装置と、を備えるシステムにおいて用いられる方法であって、
前記電力制御装置と機器制御装置とは所定の通信プロトコルに従った通信を行い、当該通信において前記電力制御装置から前記機器制御装置に対し、前記複数の電源装置のそれぞれの機器クラスを通知することに加えて、前記電力制御装置の機器クラスを通知することを特徴とする方法。
【発明の詳細な説明】
【技術分野】
【０００１】
本発明は、所定の通信プロトコルに従って通信を行う電力制御装置、機器制御装置、及び方法に関する。
【背景技術】
【０００２】
近年、電力の需要家施設に設けられ、複数の機器を制御する機器制御装置を備えた制御システム（ＥＭＳ：Ｅｎｅｒｇｙ  Ｍａｎａｇｅｍｅｎｔ  Ｓｙｓｔｅｍ）が注目を浴びている。このようなシステムには、様々なメーカにより提供される機器を機器制御装置が制御可能にするための通信プロトコルが導入される。【０００３】
このような通信プロトコルの一つであるＥＣＨＯＮＥＴ  Ｌｉｔｅ（登録商標）は、機器の種別ごとに機器クラスを規定し、当該機器が持つ情報及び制御対象をプロパティとして機器クラスごとに規定する。例えば、蓄電池装置は蓄電池クラスに属しており、蓄電池クラスに対応するプロパティは蓄電池容量及び最大最小充電電力値等を含む（非特許文献１参照）。【０００４】
一方で、複数の電源装置のそれぞれが出力する直流電力をまとめて交流に変換可能な電力制御装置（パワーコンディショナ）を有し、交流電力を負荷に供給する給電システムの導入が検討されている。複数の電源装置は、太陽光発電装置、蓄電池装置、燃料電池装置等である。【０００５】
上述した給電システムは、複数の電源装置を組み合わせて使用する新たなシステムであり、電源装置を単独で使用する従来型のシステムには無い特徴がある。【０００６】
例えば、太陽光発電装置が出力する直流電力を直流のまま蓄電池装置に充電することにより、電源装置において直流−交流変換を行う従来型のシステムに比べて、電力変換ロスを削減することができる。【０００７】
しかしながら、上述した通信プロトコルは、電源装置を単独で使用する従来型のシステムのみを想定しており、複数の電源装置を組み合わせて使用する場合において効率的な制御を実現することが困難である。
【先行技術文献】
【非特許文献】
【０００８】
【非特許文献１】「ＥＣＨＯＮＥＴ  ＳＰＥＣＩＦＩＣＡＴＩＯＮ  ＡＰＰＥＮＤＩＸ  ＥＣＨＯＮＥＴ機器オブジェクト詳細規定Ｒｅｌｅａｓｅ  Ｄ」、2013年10月31日、インターネット〈URL：http://www.echonet.gr.jp/spec/pdf_spec_app_d/SpecAppendixD.pdf〉
【発明の概要】
【０００９】
第１の特徴に係る電力制御装置は、需要家施設に設けられ、複数の電源装置からの電力供給を制御する。前記電力制御装置は、前記複数の電源装置のそれぞれが出力する直流電力をまとめて交流に変換可能な変換部と、所定の通信プロトコルに従って外部の機器制御装置との通信を行う通信部と、を備える。前記通信部は、前記複数の電源装置のそれぞれの機器クラスを前記機器制御装置に通知することに加えて、前記電力制御装置の機器クラスを前記機器制御装置に通知する。
【００１０】
第２の特徴に係る機器制御装置は、複数の電源装置のそれぞれが出力する直流電力をまとめて交流に変換可能な電力制御装置の制御を行う。前記機器制御装置は、所定の通信プロトコルに従って前記電力制御装置との通信を行う通信部と、前記通信部を介して前記制御を行う制御部と、を備える。前記通信部は、前記複数の電源装置のそれぞれの機器クラスを前記電力制御装置から取得することに加えて、前記電力制御装置の機器クラスを前記電力制御装置から取得する。
【００１１】
第３の特徴に係る方法は、複数の電源装置と、前記複数の電源装置のそれぞれが出力する直流電力をまとめて交流に変換可能な電力制御装置と、を備えるシステムにおいて用いられる。前記方法では、前記電力制御装置と機器制御装置とは所定の通信プロトコルに従った通信を行い、当該通信において前記電力制御装置から前記機器制御装置に対し、前記複数の電源装置のそれぞれの機器クラスを通知することに加えて、前記電力制御装置の機器クラスを通知する。
【図面の簡単な説明】
【００１２】
【図１】図１は、第１実施形態乃至第６実施形態に係る制御システムの構成を示すブロック図である。
【図２】図２は、第１実施形態乃至第６実施形態に係る電力制御装置の構成を示すブロック図である。
【図３】図３は、第１実施形態乃至第６実施形態に係る機器制御装置の構成を示すブロック図である。
【図４】図４は、第１実施形態に係るノード接続時シーケンスを示すシーケンス図である。
【図５】図５は、第２実施形態に係る動作を示すシーケンス図である。
【図６】図６は、第３実施形態に係る動作を示すシーケンス図である。
【図７】図７は、第４実施形態に係る動作を示すシーケンス図である。
【図８】図８は、第５実施形態に係る動作を示すシーケンス図である。
【発明を実施するための形態】
【００１３】
［実施形態の概要］
第１実施形態乃至第６実施形態に係る電力制御装置は、需要家施設に設けられ、複数の電源装置からの電力供給を制御する。前記電力制御装置は、前記複数の電源装置のそれぞれが出力する直流電力をまとめて交流に変換可能な変換部と、所定の通信プロトコルに従って外部の機器制御装置との通信を行う通信部と、を備える。前記通信部は、前記複数の電源装置のそれぞれの機器クラスを前記機器制御装置に通知することに加えて、前記電力制御装置の機器クラスを前記機器制御装置に通知する。
【００１４】
第１実施形態では、前記複数の電源装置には、前記所定の通信プロトコルにおいて交流電力を出力するよう規定された所定機器クラスに属する所定電源装置が含まれる。前記通信部は、前記所定機器クラスに対応するプロパティとして、前記所定電源装置の出力パラメータを前記機器制御装置に通知可能である。前記通信部は、前記出力パラメータを直流に読み替えるべきであることを示す情報を前記機器制御装置に通知する。
【００１５】
第２実施形態では、前記通信部は、前記電力制御装置の機器クラスに対応するプロパティとして、前記変換部の定格出力値を前記機器制御装置に通知する。
【００１６】
第２実施形態では、前記変換部の定格出力値は、前記複数の電源装置のそれぞれの定格出力値の合計よりも小さい。
【００１７】
第２実施形態では、前記通信部は、前記定格出力値の通知に対して前記機器制御装置から送信される設定要求を受信する。前記設定要求は、前記複数の電源装置のうち少なくとも１つについての出力値を含む。
【００１８】
第３実施形態では、前記通信部は、前記電力制御装置の機器クラスに対応するプロパティとして、前記変換部の瞬時入出力値を前記機器制御装置に通知する。前記瞬時入出力値は、前記変換部における変換後の電力の計測値である。
【００１９】
第４実施形態では、前記複数の電源装置には、太陽光発電装置が含まれる。前記通信部は、前記電力制御装置の機器クラスに対応するプロパティ又は前記太陽光発電装置の機器クラスに対応するプロパティとして、前記太陽光発電装置の余剰電力を前記機器制御装置に通知する。
【００２０】
第４実施形態では、前記複数の電源装置には、蓄電池装置が含まれる。前記余剰電力は、前記太陽光発電装置が出力可能な電力のうち、電力系統への逆潮流を行わない場合における、負荷により消費されず、かつ前記蓄電池装置に充電されない電力である。
【００２１】
第５実施形態では、前記複数の電源装置には、蓄電池装置が含まれる。前記通信部は、前記電力制御装置の機器クラスに対応するプロパティ又は前記蓄電池装置の機器クラスに対応するプロパティとして、前記蓄電池装置の放電モードを前記機器制御装置に通知する。前記放電モードは、負荷の消費電力の増減に追従するように放電を行う負荷追従放電モードを含む。
【００２２】
第６実施形態では、前記複数の電源装置には、蓄電池装置及び太陽光発電装置が含まれる。前記通信部は、前記電力制御装置の機器クラスに対応するプロパティ又は前記蓄電池装置の機器クラスに対応するプロパティとして、前記蓄電池装置の充電モードを前記機器制御装置に通知する。前記充電モードは、前記太陽光発電装置の余剰電力のみを充電する余剰充電モードを含む。
【００２３】
第１実施形態乃至第６実施形態に係る機器制御装置は、複数の電源装置のそれぞれが出力する直流電力をまとめて交流に変換可能な電力制御装置の制御を行う。前記機器制御装置は、所定の通信プロトコルに従って前記電力制御装置との通信を行う通信部と、前記通信部を介して前記制御を行う制御部と、を備える。前記通信部は、前記複数の電源装置のそれぞれの機器クラスを前記電力制御装置から取得することに加えて、前記電力制御装置の機器クラスを前記電力制御装置から取得する。
【００２４】
第１実施形態では、前記複数の電源装置には、前記所定の通信プロトコルにおいて交流電力を出力するよう規定された所定機器クラスに属する所定電源装置が含まれる。前記通信部は、前記所定機器クラスに対応するプロパティとして、前記所定電源装置の出力パラメータを前記電力制御装置から取得可能である。前記出力パラメータを直流に読み替えるべきであることを示す情報を前記電力制御装置から前記通信部が取得したことに応じて、前記制御部は、前記通信部が取得する前記出力パラメータを直流に読み替える。
【００２５】
第１実施形態の変更例では、前記複数の電源装置には、前記所定の通信プロトコルにおいて交流電力を出力するよう規定された所定機器クラスに属する所定電源装置が含まれる。前記通信部は、前記所定機器クラスに対応するプロパティとして、前記所定電源装置の出力パラメータを前記電力制御装置から取得可能である。前記電力制御装置の機器クラスを前記通信部が取得したことに応じて、前記制御部は、前記通信部が取得する前記出力パラメータを直流に読み替える。
【００２６】
第２実施形態では、前記通信部は、前記電力制御装置の機器クラスに対応するプロパティとして、前記電力制御装置に設けられ、前記複数の電源装置からの直流電力をまとめて交流に変換する変換部の定格出力値を前記電力制御装置から取得する。前記複数の電源装置には、出力値が設定される所定電源装置が含まれる。前記制御部は、前記変換部の定格出力値を超えないように前記所定電源装置の出力値を決定する。前記通信部は、前記決定された出力値を前記所定電源装置に設定する設定要求を前記電力制御装置に送信する。
【００２７】
第３実施形態では、前記通信部は、前記電力制御装置の機器クラスに対応するプロパティとして、前記電力制御装置に設けられ、前記複数の電源装置からの直流電力をまとめて交流に変換する変換部の瞬時入出力値を前記電力制御装置から取得する。前記瞬時入出力値は、前記変換部における変換後の電力の計測値である。
【００２８】
第４実施形態では、前記複数の電源装置には、太陽光発電装置が含まれる。前記通信部は、前記電力制御装置の機器クラスに対応するプロパティ又は前記太陽光発電装置の機器クラスに対応するプロパティとして、前記太陽光発電装置の余剰電力を前記電力制御装置から取得する。前記制御部は、前記余剰電力を消費するように負荷を制御する。
【００２９】
第４実施形態では、前記複数の電源装置には、蓄電池装置が含まれる。前記余剰電力は、前記太陽光発電装置の出力電力のうち、電力系統への逆潮流を行わない場合における、前記負荷により消費されず、かつ前記蓄電池装置に充電されない電力である。
【００３０】
第５実施形態では、前記複数の電源装置には、蓄電池装置が含まれる。前記通信部は、前記電力制御装置の機器クラスに対応するプロパティ又は前記蓄電池装置の機器クラスに対応するプロパティとして、前記蓄電池装置の放電モードを前記電力制御装置から取得する。前記放電モードは、負荷の消費電力の増減に追従するように放電を行う負荷追従放電モードを含む。
【００３１】
第６実施形態では、前記複数の電源装置には、蓄電池装置及び太陽光発電装置が含まれる。前記通信部は、前記電力制御装置の機器クラスに対応するプロパティ又は前記蓄電池装置の機器クラスに対応するプロパティとして、前記蓄電池装置の充電モードを前記電力制御装置から取得する。前記充電モードは、前記太陽光発電装置の余剰電力のみを充電する余剰充電モードを含む。
【００３２】
第１実施形態乃至第６実施形態に係る方法は、複数の電源装置と、前記複数の電源装置のそれぞれが出力する直流電力をまとめて交流に変換可能な電力制御装置と、を備えるシステムにおいて用いられる。前記方法では、前記電力制御装置と機器制御装置とは所定の通信プロトコルに従った通信を行い、当該通信において前記電力制御装置から前記機器制御装置に対し、前記複数の電源装置のそれぞれの機器クラスを通知することに加えて、前記電力制御装置の機器クラスを通知する。
【００３３】
［第１実施形態］
以下において、第１実施形態について説明する。
【００３４】
（システム構成）
図１は、第１実施形態に係る制御システム１０の構成を示すブロック図である。図１において破線は信号線を示し、実線は電力線を示す。信号線は、無線であってもよく、有線であってもよい。図２は、第１実施形態に係る電力制御装置１５０の構成を示すブロック図である。図３は、第１実施形態に係る機器制御装置２００の構成を示すブロック図である。
【００３５】
図１に示すように、制御システム１０は、配電線３１（電力系統）から電力供給を受ける需要家施設に設けられる。制御システム１０は、メータ装置１１０、負荷１２０、複数の電源装置（太陽光発電装置１３０及び蓄電池装置１４０）、電力制御装置１５０、及び機器制御装置２００を有する。第１実施形態では、複数の電源装置には、太陽光発電装置１３０及び蓄電池装置１４０が含まれる。但し、太陽光発電装置１３０に加えて、又は太陽光発電装置１３０に代えて、他の発電装置（例えば、燃料電池装置、ガスタービン発電装置）を使用してもよい。
【００３６】
メータ装置１１０は、配電線３１から電力線を介して供給される系統電力（買電電力）を計測する機器である。メータ装置１１０は、電力制御装置１５０から電力線を介して供給される電力（売電電力）を計測してもよい。メータ装置１１０は、信号線を介して、計測値を機器制御装置２００に通知する。メータ装置１１０は、信号線を介して機器制御装置２００との通信を行う。メータ装置１１０は、公衆ネットワーク等の外部ネットワークを介して各種の情報を取得する。各種の情報は、時間帯ごとの買電単価及び売電単価等である。このようなメータ装置１１０は、スマートメータと称される。メータ装置１１０は、外部ネットワークを介して取得した各種の情報を、信号線を介して機器制御装置２００に通知する。
【００３７】
負荷１２０は、配電線３０及び電力制御装置１５０の少なくともいずれか一方から電力線を介して供給される電力を消費する機器である。例えば、負荷１２０は、冷蔵庫、照明、エアコン、又はテレビ等である。負荷１２０は、単数の機器であってもよく、複数の機器を含んでもよい。負荷１２０は、信号線を介して機器制御装置２００との通信を行う。
【００３８】
太陽光発電装置１３０は、発電を行う機器であり、ＰＶ（ｐｈｏｔｏｖｏｌｔａｉｃｓ）１３１及び直流−直流（ＤＣ−ＤＣ）変換部１３２を有する。ＰＶ１３１は、太陽光の受光に応じて発電し、発電したＤＣ電力を出力する。ＤＣ−ＤＣ変換部１３２は、ＰＶ１３１から出力されたＤＣ電力を昇圧又は降圧し、電力線を介してＤＣ電力（発電電力）を出力する。また、ＤＣ−ＤＣ変換部１３２は、信号線を介して電力制御装置１５０との通信を行う。
【００３９】
蓄電池装置１４０は、電力を蓄積する機器である。蓄電池装置１４０は、配電線３１から電力制御装置１５０を介して供給される系統電力、太陽光発電装置１３０から供給される発電電力、のうち少なくとも一方によって充電される。蓄電池装置１４０は、蓄電池１４１及びＤＣ−ＤＣ変換部１４２を有する。蓄電池１４１は、電力の蓄積（充電）及び電力の供給（放電）を行う。ＤＣ−ＤＣ変換部１４２は、蓄電池１４１の充電時において、電力線を介して供給されたＤＣ電力を昇圧又は降圧し、ＤＣ電力を蓄電池１４１に出力する。ＤＣ−ＤＣ変換部１４２は、蓄電池１４１の放電時において、蓄電池１４１から出力されたＤＣ電力を昇圧又は降圧し、電力線を介してＤＣ電力（放電電力）を出力する。また、ＤＣ−ＤＣ変換部１４２は、信号線を介して電力制御装置１５０との通信を行う。
【００４０】
太陽光発電装置１３０から延びる電力線は、蓄電池装置１４０から延びる電力線と電気的に連結されており、連結された電力線が電力制御装置１５０に接続されている。当該電力線は、ＤＣ電力を伝送する。
【００４１】
電力制御装置１５０は、太陽光発電装置１３０及び蓄電池装置１４０からの電力供給を制御する機器である。図２に示すように、電力制御装置１５０は、通信部１５１、制御部１５２、及び直流−交流（ＤＣ−ＡＣ）変換部１５３を有する。通信部１５１は、信号線を介して、太陽光発電装置１３０、蓄電池装置１４０、及び機器制御装置２００との通信を行う。制御部１５２は、当該通信により、太陽光発電装置１３０及び蓄電池装置１４０を制御する。また、制御部１５２は、ＤＣ−ＡＣ変換部１５３を制御する。ＤＣ−ＡＣ変換部１５３は、太陽光発電装置１３０及び蓄電池装置１４０のそれぞれが出力するＤＣ電力をまとめてＡＣに変換する。また、ＤＣ−ＡＣ変換部１５３は、配電線３１から供給されるＡＣ電力（系統電力）をＤＣに変換することもできる。
【００４２】
電力制御装置１５０は、複数の電源装置のそれぞれが出力するＤＣ電力をまとめてＡＣに変換し、負荷１２０にＡＣ電力を供給する給電システムを構成する。以下において、このような給電システムを「マルチＤＣリンクシステム」と称する。マルチＤＣリンクシステムは、複数の電源装置を組み合わせて使用する新たなシステムであり、電源装置を単独で使用する従来型のシステムには無い特徴がある。例えば、太陽光発電装置１３０が出力するＤＣ電力をＤＣのまま蓄電池装置１４０に充電することにより、ＤＣ−ＡＣ変換ロスが生じないようにすることができる。
【００４３】
機器制御装置２００は、需要家施設に設けられた複数の機器を制御する。機器制御装置２００は、例えば、住宅に設けられた複数の機器を制御するＨＥＭＳ（Ｈｏｍｅ  Ｅｎｅｒｇｙ  Ｍａｎａｇｅｍｅｎｔ  Ｓｙｓｔｅｍ）である。図３に示すように、機器制御装置２００は、通信部２１０及び制御部２２０を有する。通信部２１０は、信号線を介して、メータ装置１１０、負荷１２０、及び電力制御装置１５０との通信を行う。制御部２２０は、通信部２１０により、例えばメータ装置１１０から取得する情報に基づいて、負荷１２０及び電力制御装置１５０を制御する。電力制御装置１５０の通信部１５１及び機器制御装置２００の通信部２１０は、所定の通信プロトコルに従って通信を行う。
【００４４】
（通信プロトコル）
第１実施形態では、所定の通信プロトコルは、ＥＣＨＯＮＥＴ  Ｌｉｔｅ（登録商標）である。
【００４５】
ＥＣＨＯＮＥＴ  Ｌｉｔｅ（登録商標）に準拠した機器（「ノード」とも称される）のプロトコルスタックは、下位通信層、通信ミドルウェア、及びアプリケーションソフトウェアの３つに分けられる。ＯＳＩ参照モデルにおいて、下位通信層は第１層乃至第４層に相当し、通信ミドルウェアは第５層乃至第６層に相当し、アプリケーションソフトウェアは第７層に相当する。ＥＣＨＯＮＥＴ  Ｌｉｔｅ（登録商標）は、通信ミドルウェアの仕様を規定しており、下位通信層の仕様については規定していない。
【００４６】
第１実施形態において、電力制御装置１５０の通信部１５１及び機器制御装置２００の通信部２１０のそれぞれは、下位通信層及び通信ミドルウェアの機能を実行する。また、電力制御装置１５０の制御部１５２及び機器制御装置２００の制御部２２０のそれぞれは、アプリケーションソフトウェアの機能を実行する。
【００４７】
また、ＥＣＨＯＮＥＴ  Ｌｉｔｅ（登録商標）では、機器の種別ごとに機器クラス（「機器オブジェクト」とも称される）を規定し、当該機器に関するパラメータをプロパティとして機器クラスごとに規定する。例えば、太陽光発電装置１３０は「住宅用太陽光発電クラス」に属し、蓄電池装置１４０は「蓄電池クラス」に属する。また、蓄電池クラスに対応するプロパティは、蓄電池容量及び最大最小充電電力値等を含む。第１実施形態では、電力制御装置１５０の機器クラスとして、「マルチＤＣリンククラス」を新たに規定する。
【００４８】
電力制御装置１５０の通信部１５１は、太陽光発電装置１３０（住宅用太陽光発電クラス）に関する各プロパティ、蓄電池装置１４０（蓄電池クラス）に関する各プロパティ、及び電力制御装置１５０（マルチＤＣリンククラス）に関する各プロパティを管理する。このように機器クラスごとに管理される情報は、「インスタンス」と称される。また、電力制御装置１５０の通信部１５１は、電力制御装置１５０の属性情報（例えば、メーカコード、商品コード、製造番号）を「ノードプロファイル（プロファイルオブジェクト）」として管理する。
【００４９】
通信ミドルウェアが送受信するメッセージは、例えば、「送信元オブジェクト識別コード」、「送信先オブジェクト識別コード」、「サービス識別コード」、「プロパティ識別コード」、及び「プロパティ値」等を含む。送信元オブジェクト識別コードは、送信元のオブジェクトを識別するための情報である。送信先オブジェクト識別コードは、送信先のオブジェクトを識別するための情報（機器クラス識別コード）である。サービス識別コードは、当該プロパティ値に対する操作内容を識別するための情報である。サービス識別コードは、例えば、プロパティ値設定要求である「Ｓｅｔ」又はプロパティ値読み出し要求である「Ｇｅｔ」等である。プロパティ識別コードは、プロパティを識別するための情報である。
【００５０】
（第１実施形態に係る動作）
次に、第１実施形態に係る動作について説明する。
【００５１】
（１）ノード接続時シーケンス
図４は、第１実施形態に係るノード接続時シーケンスを示すシーケンス図である。ノード接続時シーケンスは、例えば機器制御装置２００が起動した際に開始される。図４に示す各メッセージは、電力制御装置１５０の通信部１５１及び機器制御装置２００の通信部２１０が送受信するものである。
【００５２】
図４に示すように、ステップＳ１０１において、機器制御装置２００は、主要なノードプロファイル（メーカコード、商品コード、製造番号など）の読み出しを要求する読み出し要求（以下、「Ｇｅｔメッセージ」という）を電力制御装置１５０に送信する。
【００５３】
ステップＳ１０２において、電力制御装置１５０は、当該Ｇｅｔメッセージの受信に応じて、主要なノードプロファイルを通知する読み出し応答（以下、「Ｇｅｔ  Ｒｅｓメッセージ」という）を機器制御装置２００に送信する。機器制御装置２００は、当該Ｇｅｔ  Ｒｅｓメッセージにより、主要なノードプロファイルを取得し、ノードを検出するが、この時点では当該ノードが管理しているインスタンスは不明である。
【００５４】
ステップＳ１０３において、機器制御装置２００は、検出したノード（電力制御装置１５０）に対して、当該ノードが管理しているインスタンスの一覧であるインスタンスリストの読み出しを要求するＧｅｔメッセージを送信する。
【００５５】
ステップＳ１０４において、電力制御装置１５０は、当該Ｇｅｔメッセージの受信に応じて、自ノードのインスタンスリストを通知するＧｅｔ  Ｒｅｓメッセージを機器制御装置２００に送信する。当該インスタンスリストは、住宅用太陽光発電クラスのインスタンス、蓄電池クラスのインスタンス、及びマルチＤＣリンククラスのインスタンスを含む。換言すると、電力制御装置１５０は、太陽光発電装置１３０及び蓄電池装置１４０のそれぞれの機器クラスを機器制御装置２００に通知することに加えて、電力制御装置１５０の機器クラスを機器制御装置２００に通知する。
【００５６】
機器制御装置２００は、当該Ｇｅｔ  Ｒｅｓメッセージにより、インスタンスリストを取得する。換言すると、機器制御装置２００は、太陽光発電装置１３０及び蓄電池装置１４０のそれぞれの機器クラスを電力制御装置１５０から取得することに加えて、電力制御装置１５０の機器クラスを電力制御装置１５０から取得する。これにより、機器制御装置２００は、検出したノード（電力制御装置１５０）が、住宅用太陽光発電クラス及び蓄電池クラスのそれぞれのインスタンスを管理しているとともに、マルチＤＣリンククラスのインスタンスを管理していることを把握する。
【００５７】
ステップＳ１０５において、機器制御装置２００は、蓄電池クラスのインスタンスのプロパティマップの読み出しを要求するＧｅｔメッセージを電力制御装置１５０に送信する。プロパティマップは、当該インスタンスに含まれるプロパティの一覧である。
【００５８】
ステップＳ１０６において、電力制御装置１５０は、当該Ｇｅｔメッセージの受信に応じて、蓄電池クラスのインスタンスのプロパティマップを通知するＧｅｔ  Ｒｅｓメッセージを機器制御装置２００に送信する。機器制御装置２００は、当該Ｇｅｔ  Ｒｅｓメッセージにより、蓄電池クラスのインスタンスのプロパティマップを取得する。蓄電池クラスのインスタンスに含まれるプロパティとしては、例えば、動作状態、運転モード設定、瞬時充放電電力計測値、蓄電残量、蓄電池タイプが挙げられる。
【００５９】
ステップＳ１０７において、機器制御装置２００は、住宅用太陽光発電クラスのインスタンスのプロパティマップの読み出しを要求するＧｅｔメッセージを電力制御装置１５０に送信する。
【００６０】
ステップＳ１０８において、電力制御装置１５０は、当該Ｇｅｔメッセージの受信に応じて、住宅用太陽光発電クラスのインスタンスのプロパティマップを通知するＧｅｔ  Ｒｅｓメッセージを機器制御装置２００に送信する。機器制御装置２００は、当該Ｇｅｔ  Ｒｅｓメッセージにより、住宅用太陽光発電クラスのインスタンスのプロパティマップを取得する。住宅用太陽光発電クラスのインスタンスに含まれるプロパティとしては、例えば、動作状態、瞬時発電電力計測値、積算発電電力計測値等が挙げられる。
【００６１】
ステップＳ１０９において、機器制御装置２００は、マルチＤＣリンククラスのインスタンスのプロパティマップの読み出しを要求するＧｅｔメッセージを電力制御装置１５０に送信する。
【００６２】
ステップＳ１１０において、電力制御装置１５０は、当該Ｇｅｔメッセージの受信に応じて、マルチＤＣリンククラスのインスタンスのプロパティマップを通知するＧｅｔ  Ｒｅｓメッセージを機器制御装置２００に送信する。機器制御装置２００は、当該Ｇｅｔ  Ｒｅｓメッセージにより、マルチＤＣリンククラスのインスタンスのプロパティマップを取得する。マルチＤＣリンククラスのインスタンスに含まれるプロパティの具体例については後述する。
【００６３】
（２）ＡＣ−ＤＣ読み替え動作
上述したノード接続時シーケンスが完了すると、機器制御装置２００は、電力制御装置１５０が管理している各インスタンスに含まれるプロパティを把握し、機器制御装置２００が電力制御装置１５０を制御可能な状態になる。
【００６４】
当該制御において、電力制御装置１５０の通信部１５１は、住宅用太陽光発電クラスに対応するプロパティとして、太陽光発電装置１３０の出力パラメータを機器制御装置２００に通知可能である。また、蓄電池クラスに対応するプロパティとして、蓄電池装置１４０の出力パラメータを機器制御装置２００に通知可能である。
【００６５】
しかしながら、ＥＣＨＯＮＥＴ  Ｌｉｔｅ（登録商標）は、電源装置を単独で使用する従来型のシステムを想定しているため、住宅用太陽光発電クラス及び蓄電池クラスで取り扱う出力パラメータはＡＣであると規定されている。出力パラメータは、電流値、電圧値、又は電力値である。実際には、第１実施形態に係る太陽光発電装置１３０及び蓄電池装置１４０はＡＣではなくＤＣを取り扱うため、機器制御装置２００が当該出力パラメータを正確に把握するためには、当該出力パラメータをＤＣに読み替える必要がある。
【００６６】
そこで、第１実施形態では、電力制御装置１５０の通信部１５１は、当該出力パラメータをＤＣに読み替えるべきであることを示す情報（以下、「ＤＣ読み替えフラグ」という）を機器制御装置２００に通知する。ＤＣ読み替えフラグは、マルチＤＣリンククラスに対応するプロパティに含まれる。機器制御装置２００の通信部２１０は、ＤＣ読み替えフラグを電力制御装置１５０から取得する。機器制御装置２００の制御部２２０は、ＤＣ読み替えフラグの取得に応じて、電力制御装置１５０から通信部２１０が取得する出力パラメータをＤＣに読み替える。
【００６７】
（第１実施形態のまとめ）
上述したように、第１実施形態では、電力制御装置１５０の通信部１５１は、太陽光発電装置１３０及び蓄電池装置１４０のそれぞれの機器クラスを機器制御装置２００に通知することに加えて、電力制御装置１５０の機器クラスを機器制御装置２００に通知する。
【００６８】
また、機器制御装置２００の通信部２１０は、太陽光発電装置１３０及び蓄電池装置１４０のそれぞれの機器クラスを電力制御装置１５０から取得することに加えて、電力制御装置１５０の機器クラスを電力制御装置１５０から取得する。
【００６９】
これにより、複数の電源装置を組み合わせて使用する新たなシステム（マルチＤＣリンクシステム）が導入される場合であっても、効率的な制御を実現可能とすることができる。
【００７０】
第１実施形態では、機器制御装置２００の通信部２１０は、マルチＤＣリンククラスに対応するプロパティとして、ＤＣ読み替えフラグを電力制御装置１５０から取得する。機器制御装置２００の制御部２２０は、ＤＣ読み替えフラグの取得に応じて、太陽光発電装置１３０及び蓄電池装置１４０のそれぞれの出力パラメータをＤＣに読み替える。
【００７１】
これにより、機器制御装置２００の制御部２２０は、当該出力パラメータを正確に把握することができるため、より効率的な制御を実現可能とすることができる。
【００７２】
［第１実施形態の変更例］
ＤＣ読み替えフラグを明示的に通知することに代えて、マルチＤＣリンククラスの通知に応じて機器制御装置２００がＡＣ−ＤＣ読み替えを行ってもよい。
【００７３】
第１実施形態の変更例では、機器制御装置２００の通信部２１０は、マルチＤＣリンククラスを電力制御装置１５０から取得する。機器制御装置２００の制御部２２０は、通信部２１０がマルチＤＣリンククラスを取得したことに応じて、太陽光発電装置１３０及び蓄電池装置１４０のそれぞれの出力パラメータをＤＣに読み替える。
【００７４】
これにより、第１実施形態の変更例では、ＤＣ読み替えフラグの通知を不要とすることができる。
【００７５】
［第２実施形態］
以下において、第２実施形態について、第１実施形態との相違点を説明する。第２実施形態は、システム構成については第１実施形態と同様である。
【００７６】
第２実施形態では、例えば電気料金制度等に起因して、電力制御装置１５０のＤＣ−ＡＣ変換部１５３の定格出力値が小さく設定されているケースを想定する。この場合、ＤＣ−ＡＣ変換部１５３の定格出力値は、太陽光発電装置１３０及び蓄電池装置１４０のそれぞれの定格出力値の合計よりも小さい。例えば、ＤＣ−ＡＣ変換部１５３の定格出力値は、蓄電池装置１４０の定格出力値よりも小さい。
【００７７】
（第２実施形態に係る動作）
第２実施形態では、電力制御装置１５０の通信部１５１は、マルチＤＣリンククラスに対応するプロパティとして、ＤＣ−ＡＣ変換部１５３の定格出力値を機器制御装置２００に通知する。
【００７８】
機器制御装置２００の通信部２１０は、ＤＣ−ＡＣ変換部１５３の定格出力値を電力制御装置１５０から取得する。機器制御装置２００の制御部２２０は、ＤＣ−ＡＣ変換部１５３の定格出力値を超えないように蓄電池装置１４０の放電値を決定する。機器制御装置２００の通信部２１０は、決定された放電値を設定する設定要求（Ｓｅｔメッセージ）を電力制御装置１５０に送信する。
【００７９】
電力制御装置１５０の通信部１５１は、ＤＣ−ＡＣ変換部１５３の定格出力値の通知に対して機器制御装置２００から送信されるＳｅｔメッセージを受信する。Ｓｅｔメッセージは、蓄電池装置１４０についての放電値を含む。電力制御装置１５０の制御部２２０は、当該放電値で放電を行うよう蓄電池装置１４０を制御する。
【００８０】
図５は、第２実施形態に係る動作を示すシーケンス図である。
【００８１】
図５に示すように、ステップＳ２０１において、機器制御装置２００は、ＤＣ−ＡＣ変換部１５３の定格出力値の読み出しを要求するＧｅｔメッセージを電力制御装置１５０に送信する。ＤＣ−ＡＣ変換部１５３の定格出力値は、マルチＤＣリンククラスに対応するプロパティである。
【００８２】
ステップＳ２０２において、電力制御装置１５０は、当該Ｇｅｔメッセージの受信に応じて、ＤＣ−ＡＣ変換部１５３の定格出力値を通知するＧｅｔ  Ｒｅｓメッセージを機器制御装置２００に送信する。ここでは、ＤＣ−ＡＣ変換部１５３の定格出力値が３．０ｋＷであると仮定する。
【００８３】
ステップＳ２０３において、機器制御装置２００は、蓄電池装置１４０の最大最小放電値の読み出しを要求するＧｅｔメッセージを電力制御装置１５０に送信する。蓄電池装置１４０の最大最小放電値は、蓄電池クラスに対応するプロパティであって、蓄電池装置１４０の放電電力の最大値及び最小値のそれぞれを示すものである。
【００８４】
ステップＳ２０４において、電力制御装置１５０は、当該Ｇｅｔメッセージの受信に応じて、蓄電池装置１４０の最大最小放電値を通知するＧｅｔ  Ｒｅｓメッセージを機器制御装置２００に送信する。ここでは、蓄電池装置１４０の放電電力の最大値が５．０ｋＷであると仮定する。
【００８５】
電力制御装置１５０は、蓄電池装置１４０の放電電力の最大値がＤＣ−ＡＣ変換部１５３の定格出力値よりも大きいことから、ＤＣ−ＡＣ変換部１５３の定格出力値を超えないように蓄電池装置１４０の放電値を決定する。ここでは、蓄電池装置１４０の放電値が３．０ｋＷに決定されたと仮定する。
【００８６】
ステップＳ２０５において、機器制御装置２００は、運転モード設定「放電」及び放電設定値「３．０ｋＷ」の設定を要求するＳｅｔＣメッセージを電力制御装置１５０に送信する。ＳｅｔＣメッセージは、応答を要するＳｅｔメッセージを指す。
【００８７】
電力制御装置１５０は、当該ＳｅｔＣメッセージの受信に応じて、運転モード設定「放電」及び放電設定値「３．０ｋＷ」を設定し、３．０ｋＷで放電を行うように蓄電池装置１４０を制御する。
【００８８】
ステップＳ２０６において、電力制御装置１５０は、運転モード設定「放電」及び放電設定値「３．０ｋＷ」を通知するＳｅｔ  Ｒｅｓメッセージを機器制御装置２００に送信する。
【００８９】
（第２実施形態のまとめ）
上述したように、第２実施形態では、電力制御装置１５０の通信部１５１は、マルチＤＣリンククラスに対応するプロパティとして、ＤＣ−ＡＣ変換部１５３の定格出力値を機器制御装置２００に通知する。機器制御装置２００の通信部２１０は、ＤＣ−ＡＣ変換部１５３の定格出力値を電力制御装置１５０から取得する。
【００９０】
これにより、例えばＤＣ−ＡＣ変換部１５３の定格出力値が蓄電池装置１４０の定格出力値よりも小さいような場合であっても、ＤＣ−ＡＣ変換部１５３の定格出力値を超えないように蓄電池装置１４０の放電値を制御することができるため、効率的な制御を実現できる。
【００９１】
［第３実施形態］
以下において、第３実施形態について、第１実施形態との相違点を説明する。第３実施形態は、システム構成については第１実施形態と同様である。
【００９２】
電力制御装置１５０のＤＣ−ＡＣ変換部１５３では、太陽光発電装置１３０及び蓄電池装置１４０のそれぞれの出力をまとめてＡＣに変換する際に、ＤＣ−ＡＣ変換ロスが生じる。
【００９３】
よって、機器制御装置２００が太陽光発電装置１３０及び蓄電池装置１４０のそれぞれの出力値を取得し、これらの出力値の合計を電力制御装置１５０の出力値として制御に利用する場合には、ＤＣ−ＡＣ変換ロス分の誤差に起因して、効率的な制御を行うことが難しい。
【００９４】
（第３実施形態に係る動作）
第３実施形態では、電力制御装置１５０の制御部１５２は、ＤＣ−ＡＣ変換部１５３におけるＤＣ−ＡＣ変換後の瞬時電力値を瞬時入出力値として計測する。電力制御装置１５０の通信部１５１は、マルチＤＣリンククラスに対応するプロパティとして、ＤＣ−ＡＣ変換部１５３の瞬時入出力値を機器制御装置２００に通知する。
【００９５】
機器制御装置２００の通信部２１０は、ＤＣ−ＡＣ変換部１５３の瞬時入出力値を電力制御装置１５０から取得する。瞬時入出力値は、ＤＣ−ＡＣ変換部１５３における変換後の電力の計測値である。機器制御装置２００の制御部２２０は、太陽光発電装置１３０及び蓄電池装置１４０のそれぞれの出力値の合計ではなく、ＤＣ−ＡＣ変換部１５３の瞬時入出力値を電力制御装置１５０の出力値として制御に利用する。
【００９６】
図６は、第３実施形態に係る動作を示すシーケンス図である。
【００９７】
図６に示すように、ステップＳ３０１において、機器制御装置２００は、太陽光発電装置１３０の瞬時発電電力計測値の読み出しを要求するＧｅｔメッセージを電力制御装置１５０に送信する。当該瞬時発電電力計測値は、住宅用太陽光発電クラスに対応するプロパティである。
【００９８】
ステップＳ３０２において、電力制御装置１５０は、当該Ｇｅｔメッセージの受信に応じて、太陽光発電装置１３０の瞬時発電電力計測値を通知するＧｅｔ  Ｒｅｓメッセージを機器制御装置２００に送信する。ここでは、当該瞬時発電電力計測値が２．０ｋＷであると仮定する。
【００９９】
ステップＳ３０３において、機器制御装置２００は、蓄電池装置１４０の瞬時充放電電力計測値の読み出しを要求するＧｅｔメッセージを電力制御装置１５０に送信する。当該瞬時充放電電力計測値は、住宅用太陽光発電クラスに対応するプロパティである。ここでは、蓄電池装置１４０の運転モード設定が放電であると仮定している。
【０１００】
ステップＳ３０４において、電力制御装置１５０は、当該Ｇｅｔメッセージの受信に応じて、蓄電池装置１４０の瞬時充放電電力計測値を通知するＧｅｔ  Ｒｅｓメッセージを機器制御装置２００に送信する。ここでは、当該瞬時充放電電力計測値が３．０ｋＷであると仮定する。
【０１０１】
ステップＳ３０５において、機器制御装置２００は、ＤＣ−ＡＣ変換部１５３の瞬時入出力値の読み出しを要求するＧｅｔメッセージを電力制御装置１５０に送信する。ＤＣ−ＡＣ変換部１５３の瞬時入出力値は、マルチＤＣリンククラスに対応するプロパティである。
【０１０２】
ステップＳ３０６において、電力制御装置１５０は、当該Ｇｅｔメッセージの受信に応じて、ＤＣ−ＡＣ変換部１５３の瞬時入出力値を通知するＧｅｔ  Ｒｅｓメッセージを機器制御装置２００に送信する。ここでは、ＤＣ−ＡＣ変換部１５３の瞬時入出力値が４．９ｋＷであると仮定する。このように、太陽光発電装置１３０の瞬時発電電力計測値（２．０ｋＷ）及び蓄電池装置１４０の瞬時充放電電力計測値（３．０ｋＷ）の合計は５．０ｋＷであるが、ＤＣ−ＡＣ変換部１５３の瞬時入出力値は４．９ｋＷである。すなわち、０．１ｋＷのＤＣ−ＡＣ変換ロスが生じていることが分かる。
【０１０３】
（第３実施形態のまとめ）
上述したように、第３実施形態では、電力制御装置１５０の通信部１５１は、マルチＤＣリンククラスに対応するプロパティとして、ＤＣ−ＡＣ変換部１５３の瞬時入出力値を機器制御装置２００に通知する。機器制御装置２００の通信部２１０は、ＤＣ−ＡＣ変換部１５３の瞬時入出力値を電力制御装置１５０から取得する。
【０１０４】
これにより、機器制御装置２００が電力制御装置１５０の出力値を正確に把握することができるため、効率的な制御を実現可能とすることができる。
【０１０５】
［第４実施形態］
以下において、第４実施形態について、第１実施形態との相違点を説明する。第４実施形態は、システム構成については第１実施形態と同様である。
【０１０６】
第４実施形態では、電力制御装置１５０の出力を配電線３１（電力系統）に逆潮流させないケースを想定する。このようなケースにおいて、太陽光発電装置１３０の瞬時発電電力が負荷１２０の消費電力よりも大きく、かつ蓄電池装置１４０が満充電状態であると、太陽光発電装置１３０で余剰電力が発生する。
【０１０７】
（第４実施形態に係る動作）
第４実施形態では、電力制御装置１５０の制御部１５２は、太陽光発電装置１３０の余剰電力を検出する。余剰電力は、太陽光発電装置１３０の発電電力のうち、電力系統への逆潮流を行わない場合における、負荷１２０により消費されず、かつ蓄電池装置１４０に充電されない電力である。例えば、太陽光発電装置１３０は、通常はＭＰＰＴ制御により最大発電力を確保するよう動作するが、最大発電電力が必要とされない場合にはＭＰＰT制御を停止して出力電力を低下させる機能を有している。ここで、本来発電可能な電力値と、意図的に低下させた電力との差は、いわば抑制した電力であり、ＭＰＰＴ制御を行っていたならば余剰となる電力（余剰電力）でもある。よって、太陽光発電装置１３０がＭＰＰＴ制御を行っているときと行っていないときとの出力差により、余剰電力を算出することができる。電力制御装置１５０の通信部１５１は、マルチＤＣリンククラスに対応するプロパティとして、太陽光発電装置１３０の余剰電力を機器制御装置２００に通知する。
【０１０８】
機器制御装置２００の通信部２１０は、太陽光発電装置１３０の余剰電力を電力制御装置１５０から取得する。機器制御装置２００の制御部２２０は、太陽光発電装置１３０の余剰電力を消費するように負荷１２０を制御する。具体的には、負荷１２０（例えば、エアコン、蓄熱装置等）を稼働するなど、敢えて負荷１２０の消費電力を増やすことにより、無駄のない効率的な制御が可能となる。
【０１０９】
図７は、第４実施形態に係る動作を示すシーケンス図である。
【０１１０】
図７に示すように、ステップＳ４０１において、機器制御装置２００は、ＤＣ−ＡＣ変換部１５３の瞬時入出力値の読み出しを要求するＧｅｔメッセージを電力制御装置１５０に送信する。ＤＣ−ＡＣ変換部１５３の瞬時入出力値は、マルチＤＣリンククラスに対応するプロパティである。
【０１１１】
ステップＳ４０２において、電力制御装置１５０は、当該Ｇｅｔメッセージの受信に応じて、ＤＣ−ＡＣ変換部１５３の瞬時入出力値を通知するＧｅｔ  Ｒｅｓメッセージを機器制御装置２００に送信する。ここでは、ＤＣ−ＡＣ変換部１５３の瞬時入出力値が２．０ｋＷであると仮定する。
【０１１２】
ステップＳ４０３において、機器制御装置２００は、太陽光発電装置１３０の余剰電力の読み出しを要求するＧｅｔメッセージを電力制御装置１５０に送信する。太陽光発電装置１３０の余剰電力は、マルチＤＣリンククラスに対応するプロパティである。
【０１１３】
ステップＳ４０４において、電力制御装置１５０は、当該Ｇｅｔメッセージの受信に応じて、太陽光発電装置１３０の余剰電力を通知するＧｅｔ  Ｒｅｓメッセージを機器制御装置２００に送信する。ここでは、太陽光発電装置１３０の余剰電力が２．０ｋＷであると仮定する。
【０１１４】
ステップＳ４０５において、機器制御装置２００は、太陽光発電装置１３０の余剰電力を消費するように負荷１２０を制御する。
【０１１５】
ステップＳ４０６において、機器制御装置２００は、ＤＣ−ＡＣ変換部１５３の瞬時入出力値の読み出しを要求するＧｅｔメッセージを電力制御装置１５０に送信する。
【０１１６】
ステップＳ４０７において、電力制御装置１５０は、当該Ｇｅｔメッセージの受信に応じて、ＤＣ−ＡＣ変換部１５３の瞬時入出力値を通知するＧｅｔ  Ｒｅｓメッセージを機器制御装置２００に送信する。ここでは、負荷１２０を制御した結果、ＤＣ−ＡＣ変換部１５３の瞬時入出力値が４．０ｋＷに上昇したと仮定する。
【０１１７】
ステップＳ４０８において、機器制御装置２００は、太陽光発電装置１３０の余剰電力の読み出しを要求するＧｅｔメッセージを電力制御装置１５０に送信する。
【０１１８】
ステップＳ４０９において、電力制御装置１５０は、当該Ｇｅｔメッセージの受信に応じて、太陽光発電装置１３０の余剰電力を通知するＧｅｔ  Ｒｅｓメッセージを機器制御装置２００に送信する。ここでは、負荷１２０を制御した結果、太陽光発電装置１３０の余剰電力が０．０ｋＷに低下、すなわち余剰電力が無くなったと仮定する。
【０１１９】
（第４実施形態のまとめ）
上述したように、第４実施形態では、電力制御装置１５０の通信部１５１は、マルチＤＣリンククラスに対応するプロパティとして、太陽光発電装置１３０の余剰電力を機器制御装置２００に通知する。機器制御装置２００の通信部２１０は、太陽光発電装置１３０の余剰電力を電力制御装置１５０から取得する。機器制御装置２００の制御部２２０は、太陽光発電装置１３０の余剰電力を消費するように負荷１２０を制御する。
【０１２０】
これにより、敢えて負荷１２０の消費電力を増やし、余剰電力を消費することにより、無駄のない効率的な制御が可能となる。
【０１２１】
［第５実施形態］
以下において、第５実施形態について、第１実施形態との相違点を説明する。第５実施形態は、システム構成については第１実施形態と同様である。
【０１２２】
電力制御装置１５０は、蓄電池装置１４０の運転モード（放電モード）として、負荷１２０の消費電力の増減に追従するように放電を行う負荷追従放電モードを設定し得る。
【０１２３】
ここで、機器制御装置２００が蓄電池装置１４０の放電モードを把握していないケースにおいて、蓄電池装置１４０の瞬時充放電電力値が変動した場合、機器制御装置２００は、当該変動が負荷追従放電モードに起因するものか否かを把握することができない。従って、蓄電池装置１４０に故障等の問題が生じたと誤った判断を行う虞がある。
【０１２４】
（第５実施形態に係る動作）
第５実施形態では、電力制御装置１５０の通信部１５１は、マルチＤＣリンククラスに対応するプロパティとして、蓄電池装置１４０の放電モードを機器制御装置２００に通知する。放電モードは、負荷１２０の消費電力の増減に追従するように放電を行う負荷追従放電モードを含む。機器制御装置２００の通信部２１０は、蓄電池装置１４０の放電モードを電力制御装置１５０から取得する。
【０１２５】
図８は、第５実施形態に係る動作を示すシーケンス図である。
【０１２６】
図８に示すように、ステップＳ５０１において、機器制御装置２００は、蓄電池装置１４０の瞬時充放電電力値の読み出しを要求するＧｅｔメッセージを電力制御装置１５０に送信する。当該瞬時充放電電力値は、蓄電池クラスに対応するプロパティである。
【０１２７】
ステップＳ５０２において、電力制御装置１５０は、当該Ｇｅｔメッセージの受信に応じて、蓄電池装置１４０の瞬時充放電電力値を通知するＧｅｔ  Ｒｅｓメッセージを機器制御装置２００に送信する。ここでは、当該瞬時充放電電力値が３．０ｋＷであると仮定する。
【０１２８】
ステップＳ５０３において、機器制御装置２００は、蓄電池装置１４０の瞬時充放電電力値の読み出しを要求するＧｅｔメッセージを電力制御装置１５０に送信する。
【０１２９】
ステップＳ５０４において、電力制御装置１５０は、当該Ｇｅｔメッセージの受信に応じて、蓄電池装置１４０の瞬時充放電電力値を通知するＧｅｔ  Ｒｅｓメッセージを機器制御装置２００に送信する。ここでは、当該瞬時充放電電力値が２．０ｋＷに低下したと仮定する。
【０１３０】
ステップＳ５０５において、機器制御装置２００は、蓄電池装置１４０の運転モード（放電モード）の読み出しを要求するＧｅｔメッセージを電力制御装置１５０に送信する。蓄電池装置１４０の運転モード（放電モード）は、マルチＤＣリンククラスに対応するプロパティである。
【０１３１】
ステップＳ５０６において、電力制御装置１５０は、当該Ｇｅｔメッセージの受信に応じて、蓄電池装置１４０の運転モード（放電モード）を通知するＧｅｔ  Ｒｅｓメッセージを機器制御装置２００に送信する。ここでは、蓄電池装置１４０の運転モード（放電モード）が負荷追従放電モードであると仮定する。よって、機器制御装置２００は、蓄電池装置１４０の瞬時充放電電力値の低下が、故障等の問題ではなく、負荷追従放電モードに起因するものであると判断する。
【０１３２】
（第５実施形態のまとめ）
上述したように、第５実施形態では、電力制御装置１５０の通信部１５１は、マルチＤＣリンククラスに対応するプロパティとして、蓄電池装置１４０の放電モードを機器制御装置２００に通知する。放電モードは、負荷１２０の消費電力の増減に追従するように放電を行う負荷追従放電モードを含む。機器制御装置２００の通信部２１０は、蓄電池装置１４０の放電モードを電力制御装置１５０から取得する。
【０１３３】
これにより、機器制御装置２００は、蓄電池装置１４０の瞬時充放電電力値が変動しても、当該変動が負荷追従放電モードに起因するものか否かを把握することができる。
【０１３４】
［第６実施形態］
以下において、第６実施形態について、第１実施形態との相違点を説明する。第６実施形態は、システム構成については第１実施形態と同様である。
【０１３５】
電力制御装置１５０は、例えばＤＣ−ＡＣ変換部１５３の出力抑制が機器制御装置２００から設定されたようなケースにおいて、蓄電池装置１４０の運転モード（充電モード）として、系統電力を充電せずに太陽光発電装置１３０の余剰電力を充電する余剰充電モードを設定し得る。ここで、機器制御装置２００が蓄電池装置１４０の充電モードを把握していないと、余剰電力を負荷１２０に消費させた方が好ましい場合であっても、意図しない充電が行われてしまう虞がある。
【０１３６】
（第６実施形態に係る動作）
第６実施形態では、電力制御装置１５０の通信部１５１は、マルチＤＣリンククラスに対応するプロパティとして、蓄電池装置１４０の充電モードを機器制御装置２００に通知する。充電モードは、太陽光発電装置１３０の余剰電力のみを充電する余剰充電モードを含む。
【０１３７】
機器制御装置２００の通信部２１０は、蓄電池装置１４０の充電モードを電力制御装置１５０から取得する。機器制御装置２００の制御部２２０は、蓄電池装置１４０の充電モードが余剰充電モードである場合であって、かつ余剰電力を負荷１２０に消費させた方が好ましい場合に、例えば電力制御装置１５０の出力値を上昇させると決定する。そして、機器制御装置２００の通信部２１０は、電力制御装置１５０の出力値を上昇させるためのＳｅｔメッセージを電力制御装置１５０に送信する。
【０１３８】
（第６実施形態のまとめ）
上述したように、第６実施形態では、電力制御装置１５０の通信部１５１は、マルチＤＣリンククラスに対応するプロパティとして、蓄電池装置１４０の充電モードを機器制御装置２００に通知する。充電モードは、太陽光発電装置１３０の余剰電力のみを充電する余剰充電モードを含む。機器制御装置２００の通信部２１０は、蓄電池装置１４０の充電モードを電力制御装置１５０から取得する。
【０１３９】
これにより、余剰充電モードであることを機器制御装置２００が把握して、電力制御装置１５０の出力値を上昇させる制御を行うことにより、余剰電力を負荷１２０に消費させることができる。
【０１４０】
［その他の実施形態］
上述した第４実施形態では、太陽光発電装置１３０の余剰電力が、マルチＤＣリンククラスに対応するプロパティであるケースを例示した。しかしながら、太陽光発電装置１３０の余剰電力は、住宅用太陽光発電クラスに対応するプロパティであってもよい。
【０１４１】
上述した第５実施形態では、蓄電池装置１４０の放電モードが、マルチＤＣリンククラスに対応するプロパティであるケースを例示した。しかしながら、蓄電池装置１４０の放電モードは、蓄電池クラスに対応するプロパティであってもよい。
【０１４２】
上述した第６実施形態では、蓄電池装置１４０の充電モードが、マルチＤＣリンククラスに対応するプロパティであるケースを例示した。しかしながら、蓄電池装置１４０の充電モードは、蓄電池クラスに対応するプロパティであってもよい。
【０１４３】
上述した各実施形態では、需要家施設として住宅を想定しており、機器制御装置２００がＨＥＭＳであるケースを例示した。しかしながら、機器制御装置２００は、ＣＥＭＳ（Ｃｌｕｓｔｅｒ／Ｃｏｍｍｕｎｉｔｙ  Ｅｎｅｒｇｙ  Ｍａｎａｇｅｍｅｎｔ  Ｓｙｓｔｅｍ）、ＢＥＭＳ（Ｂｕｉｌｄｉｎｇ  Ｅｎｅｒｇｙ  Ｍａｎａｇｅｍｅｎｔ  Ｓｙｓｔｅｍ）、ＦＥＭＳ（Ｆａｃｔｏｒｙ  Ｅｎｅｒｇｙ  Ｍａｎａｇｅｍｅｎｔ  Ｓｙｓｔｅｍ）、又はＳＥＭＳ（Ｓｔｏｒｅ  Ｅｎｅｒｇｙ  Ｍａｎａｇｅｍｅｎｔ  Ｓｙｓｔｅｍ）等であってもよい。
【０１４４】
上述した各実施形態では、ＥＣＨＯＮＥＴ  Ｌｉｔｅ（登録商標）に準拠したシステムを例示した。しかしながら、ＥＣＨＯＮＥＴ  Ｌｉｔｅ（登録商標）に準拠したシステムに限定されるものではなく、例えばＺｉｇＢｅｅ（登録商標）又はＫＮＸ等の他の通信プロトコルに準拠したシステムに対して本発明を応用してもよい。
【０１４５】
なお、日本国特許出願第２０１３−２５８８９２号（２０１３年１２月１６日出願）の全内容が、参照により、本願明細書に組み込まれている。
【産業上の利用可能性】
【０１４６】
実施形態によれば、複数の電源装置を組み合わせて使用する場合において効率的な制御を実現可能とする電力制御装置、機器制御装置、及び方法を提供することができる。
【図１】
2015093494.tif 000003
【図２】
2015093494.tif 000004
【図３】
2015093494.tif 000005
【図４】
2015093494.tif 000006
【図５】
2015093494.tif 000007
【図６】
2015093494.tif 000008
【図７】
2015093494.tif 000009
【図８】
2015093494.tif 000010
【国際調査報告】
2015093494.tif 000011
2015093494.tif 000012
2015093494.tif 000013
2015093494.tif 000014